(57)【要約】【課題】ディスプレイの増設があったとしても、出力コネクタ及びケーブルに関連した設置コスト及びスペースの増大を抑制できる分岐装置、通信装置、遊技機及び分岐方法を提供する。【解決手段】演出制御部１からの演出信号を受け入れて表示部に出力する分岐部３を有し、該分岐３部は、表示部２及び／又は下流側に位置する他の分岐部３に演出信号を分配するスイッチング機能を有する。【選択図】図１
2018157897.tif 000002
【特許請求の範囲】
【請求項１】
演出制御部からの演出信号を受け入れて表示部に出力する分岐部を有し、
該分岐部は、前記表示部及び／又は下流側に位置する他の分岐部に該演出信号を分配するスイッチング機能を有することを特徴とする分岐装置。
【請求項２】
表示部にて演出させるための演出信号を出力する演出制御部と、
この演出制御部から入力された演出信号を分岐する一の分岐部と、を備え、
この一の分岐部は、前記演出制御部からの演出信号を受け入れて、前記表示部及び／又は下流側に位置する他の分岐部に分配することを特徴とする通信装置。
【請求項３】
前記分岐部は、前記演出信号を受け入れる表示部の数に対応して直列状又はトーナメント状に増設されることを特徴とする請求項２に記載の通信装置。
【請求項４】
前記分岐部は、前記演出制御部からの演出信号を少なくとも２箇所に分配する出力コネクタを有することを特徴とする請求項２又は３のいずれか１項に記載の通信装置。
【請求項５】
前記演出制御部、分岐部及び表示部との間は、連続する面に一列に並べられた複数の線状導体を有するケーブルにより接続されていることを特徴とする請求項２〜４のいずれか１項に記載に記載の通信装置。
【請求項６】
前記線状導体は、複数対のデータ伝送線と、各対の間に配置されたシールド用導体とを有することを特徴とする請求項５に記載の通信装置。
【請求項７】
前記線状導体は、偏平な横断面形状を有することを特徴とする請求項５又は６のいずれか１項に記載の通信装置。
【請求項８】
前記ケーブルは、前記線状導体を覆いかつ前記各線状導体を絶縁させる被覆膜がさらに設けられることを特徴とする請求項５〜７のいずれか１項に記載の通信装置。
【請求項９】
前記被覆膜は、前記線状導体の少なくとも一方に配置されたシート状の絶縁体であることを特徴とする請求項８に記載の通信装置。
【請求項１０】
前記被覆膜は、前記線状導体の両側に設けられ、少なくとも一方の側で前記線状導体の存在個所では凸状に、存在個所以外では相対的に凹状に変形していることを特徴とする請求項９に記載の通信装置。
【請求項１１】
前記被覆膜は、前記線状導体の両側に設けられ、少なくとも一方の側は透明または半透明の材料により構成されたことを特徴とする請求項９に記載の通信装置。
【請求項１２】
前記演出信号は、前記表示部に画像／映像を表示するための映像信号とともに、音を出するための音声信号を有することを特徴とする請求項２〜７のいずれか１項に記載の通信装置。
【請求項１３】
請求項２〜１２のいずれか１項に記載の通信装置と、該通信装置により伝送される信号を表示する表示部とを有する遊技機。
【請求項１４】
前記遊技機は、パチンコまたはパチンコ型スロットマシンである請求項１３に記載の遊戯機。
【請求項１５】
演出制御部からの演出信号を受け入れて表示部に出力するとともに、下流側に他の分岐部が存在する場合に、前記表示部とともに下流側に位置する他の分岐部にも前記演出信号を分配することを特徴とする分岐方法。
【発明の詳細な説明】
【技術分野】
【０００１】
本発明は、パチンコ型スロットマシン等に適用される分岐装置、通信装置、遊技機及び分岐方法に関する。
【背景技術】
【０００２】
遊技機に関して、例えば特許文献１に示される技術が知られている。
この特許文献１に示される遊技機は、遊戯に関連したメッセージ・画像などが表示される上部液晶ディスプレイ及び下部液晶ディスプレイを有するものであって、これら上部液晶ディスプレイ及び下部液晶ディスプレイは、ＣＰＵからの回路信号に基づき制御される液晶駆動回路を介して駆動が行われる。
【先行技術文献】
【特許文献】
【０００３】
【特許文献１】特開２００６−３３３９０７号公報
【発明の概要】
【発明が解決しようとする課題】
【０００４】
ところで、特許文献１に示される遊技機では、上部液晶ディスプレイ及び下部液晶ディスプレイという２つのディスプレイが設置されているが、これらディスプレイは、不正防止の観点から、液晶駆動回路を含むＣＰＵ（演出制御部）に設置された上部液晶専用の出力コネクタ、及び下部液晶専用の出力コネクタに、ケーブルを介してそれぞれ直接的に接続されるのが一般的である。
【０００５】
すなわち、上記遊技機では、ＣＰＵに上部液晶専用及び下部液晶専用という２つの出力コネクタを設けることで、ＣＰＵ内の出力コネクタに不正操作が可能な空き端子を生じさせないようにしている。
しかしながら、このような接続形式の遊技機では、ディスプレイが増設される場合にＣＰＵを含む基板を交換して、ディスプレイの数に対応した出力コネクタ及びケーブルを用意する必要があり、設置コスト及び設置スペースの点で問題があった。
【０００６】
この発明は、上述した事情に鑑みてなされたものであって、ディスプレイの増設があったとしても、出力コネクタ及びケーブルに関連した設置コスト及びスペースの増大を抑制可能な高い経済性を有する、分岐装置、通信装置、遊技機及び分岐方法を提供する。
【課題を解決するための手段】
【０００７】
上記課題を解決するために、この発明は以下の手段を提案している。
本発明の第１形態に示される分岐装置は、演出制御部からの演出信号を受け入れて表示部に出力する分岐部を有し、該分岐部は、前記表示部及び／又は下流側に位置する他の分岐部に該演出信号を分配するスイッチング機能を有することを特徴とする。
【０００８】
本発明の第２形態に示される通信装置は、表示部にて演出させるための演出信号を出力する演出制御部と、この演出制御部から入力された演出信号を分岐する一の分岐部と、を備え、この一の分岐部は、前記演出制御部からの演出信号を受け入れて、前記表示部及び／又は下流側に位置する他の分岐部に分配することを特徴とする。
【０００９】
本発明の第３形態に示される分岐方法は、演出制御部からの演出信号を受け入れて表示部に出力するとともに、下流側に他の分岐部が存在する場合に、前記表示部とともに下流側に位置する他の分岐部にも該演出信号を分配することを特徴とする。
【発明の効果】
【００１０】
本発明によれば、他の分岐部を、演出信号を受け入れる表示部の数に対応して増設することで、表示部の数の増加に対応して演出制御部の出力コネクタを増やす必要がなくなり、装置改良時に、演出制御部を含む基板を取り換えるなどのコストアップを抑制できる。
【図面の簡単な説明】
【００１１】
【図１】本発明に係る分岐装置を示す概略構成図である。
【図２】本発明の第１実施形態に係る通信装置を示す概略構成図である。
【図３】本実施形態に適用されるケーブルを示す図であって、（Ａ）は平面図、（Ｂ）は縦断面図である。
【図４】ケーブルに供給される信号を具体的に示す図である。
【図５】ケーブルに供給される信号を具体的に示す図である。
【図６】本発明の第２実施形態に係る通信装置を示す概略構成図である。
【発明を実施するための形態】
【００１２】
本発明に係る分岐装置１００について図１（Ａ）及び（Ｂ）を参照して説明する。
この分岐装置１００は、演出制御部１からの演出信号を受け入れて表示部２に出力する分岐部３を有するものであって、該分岐部３は、表示部２及び／又は下流側に位置する他の分岐部３に分配するスイッチング機能を有する。
【００１３】
具体的には、図１（Ａ）に示される分岐装置１００では、２つの表示部２（２Ａ，２Ｂ）がある場合に、演出制御部１の出力コネクタ４からの演出信号を１つの分岐部３を介して各表示部２に分岐する。
また、図１（Ｂ）に示される分岐装置１００では、３つ以上の表示部２（２Ａ，２Ｂ・・）がある場合に、表示部２の数に応じた分岐部３（３Ａ，３Ｂ・・）を直列に配置する。
この状態で、最初の第１分岐部３（３Ａ）を介して、演出制御部１の出力コネクタ４からの演出信号を、第１表示部２（２Ａ）と第２分岐部３（３Ｂ）に分岐する。
その後、第２分岐部３（３Ｂ）にて、第１分岐部３（３Ａ）を経由した演出制御部１からの演出信号を、第２表示部２（２Ｂ）と下流の第３表示部（図示略）に分岐する。
【００１４】
なお、本例では、２つの表示部２（２Ａ，２Ｂ）がある場合（図１（Ａ）参照）、及び３つ以上の表示部２（２Ａ，２Ｂ・・）がある場合（図１（Ｂ）参照）について説明したが、多数の表示部２がある場合には、表示部２の数に応じた分岐部３を連続かつ直列接続すると良い。
【００１５】
そして、以上のような構成の分岐装置１００では、演出制御部１からの演出信号を受け入れて表示部２に出力する分岐部３を有し、該分岐部３に、表示部２及び／又は下流側に位置する他の分岐部３に分配するスイッチング機能を設けるようにした。
これにより、本発明の分岐装置１００では、分岐部３を、演出信号を受け入れる表示部２の数に対応して増設することで、表示部２の数の増加に対応して演出制御部１の出力コネクタ４を増やす必要がなくなる。
その結果として、装置改良時等に、演出制御部１を含むメイン基板を取り換えるなどのコストアップを抑制することが可能となる。
【００１６】
また、本発明の分岐装置１００では、1つ又は複数の分岐部３を経由して、演出制御部１からの演出信号を各表示部２に分岐させる構成であるので、各表示部２から演出制御部１にそれぞれ直接的に至るケーブル配線が不要となり、この点においても構成の簡素化ができ、コストアップを抑制することが可能となる。
【００１７】
（第１実施形態）
本発明の第１実施形態について、図２〜図５を参照して説明する。
図２は、第１実施形態に係る通信装置１０１であって、演出信号を出力する演出制御部１１と、演出制御部１１からの演出信号を受け入れて表示部１２に出力する分岐部１３とを有する。なお、この通信装置１０１は、パチンコ型スロットマシン等の遊戯機にて使用可能である。
【００１８】
演出制御部１１は、表示部１２にて演出させるための演出信号（映像信号及び音声信号）を出力するための出力コネクタ１４を１つ実装している。
また、この演出制御部１１では、起動時または接続変更時に表示部１２及び分岐部１３の接続構成を収集し、アドレスの割当を行う。そして、各表示部１２や、スピーカ１５に接続される音声変換部１６（後述する）に対し、アドレス情報を付加したマイクロパケット形式の信号を出力する。
【００１９】
表示部１２は、映像をＬＣＤ等に表示する機能を有するとともに、演出信号から音声信号を分離する機能も有する。
分岐部１３は、１つの入力コネクタ１７と２つ以上の出力コネクタ１８（後述する）を持ち、前段から入力されたマイクロパケットのアドレス情報と後段に接続された表示部１２のアドレス情報を照合し、合致するものを各コネクタ１８に出力する。
【００２０】
演出制御部１１から出力される演出信号としては、表示部１２に画像／映像を表示するための映像信号Ｇ、及びスピーカ１５から音声を出力するための音声信号Ｓがある。
なお、図２において、映像信号Ｇと音声信号Ｓとを含有した演出信号を「黒矢印」で示し、映像信号Ｇのみの演出信号を「白抜き矢印」で示し、音声信号Ｓのみの演出信号を「斜線矢印」で示す。
【００２１】
上述したように、演出制御部１１には演出信号を出力させるための出力コネクタ１４が設けられており、分岐部１３には演出信号を受け入れるための入力コネクタ１７が設けられている。
これら出力コネクタ１４と入力コネクタ１７との間はケーブルＣにより接続されている。
【００２２】
また、分岐部１３の出力側には少なくとも２つの出力コネクタ１８が設けられている。これら出力コネクタ１８は、ケーブルＣを介して、他の分岐部１３の入力コネクタ１７又は表示部１２の入力コネクタ１９に接続されている。
【００２３】
図２に示されるように、本例では３つ以上の表示部１２（１２Ａ，１２Ｂ，１２Ｃ）があり、これに対応して３つの分岐部１３（１３Ａ，１３Ｂ,１３Ｃ）が直列配置されている場合を示している。
これにより、第１分岐部１３（１３Ａ）では、演出制御部１１からの演出信号を、第１表示部１２（１２Ａ）と第２分岐部１３（１３Ｂ）に分岐する。
その後、第２分岐部１３（１３Ｂ）にて、第１分岐部１３（１３Ａ）を経由した演出制御部１１からの演出信号を、第２表示部１２（１２Ｂ）と第３分岐部１３（１３Ｃ）に分岐する。
その後、第３分岐部１３（１３Ｃ）にて、第２分岐部１３（１３Ｂ）を経由した演出制御部１１からの演出信号を、第３表示部１２（１２Ｃ）と次の分岐部（図示略）に分岐する。このとき、第３分岐部１３（１３Ｃ）の出力コネクタ１３には、分岐部ではなく、第４表示部を接続しても良い。
【００２４】
なお、本例では、３つの表示部１２（１２Ａ，１２Ｂ,１２Ｃ）と分岐部１３（１３Ａ，１３Ｂ,１３Ｃ）がある場合について図示したが、表示部１２が４つ以上ある場合には、さらに下流側に分岐部１３を連続して直列接続する。
また、本例の第２表示部１２（１２Ｂ）にはさらに音声用の出力コネクタ２０があり、この出力コネクタ２０を介してスピーカ１５が接続されている。
その際、第２表示部１２（１２Ｂ）の出力コネクタ２０とスピーカ１５との間には、演出信号を音声に変換する音声変換部１６を駆動回路として設けるようにする。なお、図２において、符号２１、２２は音声変換部１６の入力コネクタ、出力コネクタをそれぞれ示している。
なお、この音声変換部１６では、デジタル形式の音声信号をアナログ信号に変換すると共に、スピーカ１５を駆動する増幅機能を有する。
【００２５】
次に、本実施形態に適用されて演出制御部１１、表示部１２及び分岐部１３を互いに接続するケーブルＣについて説明する。
このケーブルＣは、図３に示されるように、ＧＮＤ層３０上に連続するように絶縁層３１が積層され、かつこの絶縁層３１上に、複数の線状導体３２が一定の間隔をおいて配置されたＦＦＣ（フレキシブルフラットケーブル）により構成されている。また、このケーブルＣの上面には、不正防止のために、線状導体３２を目視確認できるような透明な被覆膜３３、又は線状導体３２の形状が分かるように、凹凸状（線状導体３２の存在個所ではその輪郭に沿って凸状に変形し、存在個所以外では相対的に凹状に変形している）に塑性変形可能な不透明な材料からなる被覆膜３３が積層されている。すなわち、内部の線状導体３２に分岐線等が接続されて、制御部１１へ外部から不正な信号を供給される余地がない旨を外部から目視確認することができるように配慮されている。なお前記凹凸状に変形することができる材料として、例えば極めて薄い合成樹脂、あるいは、前記線状導体３２に対して電気的に絶縁された金属箔等を用いることができる。なお、ＧＮＤ層３０、絶縁層３１、被覆膜３３をシート状に形成し、これらを粘着剤層（接着剤層）を介して互いに積層し、膜と膜との間に前記線状導体３２を挟む構造を採用しても良い。
【００２６】
また、ケーブルＣ内の線状導体３２において、外側と中央部にはＧＮＤ、電源又は低速信号を送る低速ラインＬ１が設けられ、これらラインＬ１の間には、映像信号及び音声信号を高速で送る一対の差動ペアＬ２が２組設けられている。
そして、このケーブルＣでは、差動ペアＬ２間に１本あるいは２本以上のＧＮＤ・電源・低速信号等の直流や低周波の交流を送る低速ラインＬ１のいずれかを配置することにより、矢印（イ）で示すような、ペア間の相互干渉（クロストーク）を軽減し伝送品質を向上させると共に伝送距離を長くすることができる。
すなわち、データ伝送線となる差動ペアＬ２に設置された低速ラインＬ１を、シールド用導体として機能させることができる。
【００２７】
そして、このケーブルＣでは、差動ペアＬ２を通じて映像信号と音声信号を分岐部１３に伝送し、その分岐部１３から別の表示部１２や分岐部１３、音声変換部１６に信号を伝送していくという接続方法（ディジーチェーン接続）を用いている。この方式としてディスプレイポート（DisplayPort）規格のマルチストリーミング機能を使用する。なお、本例では、ケーブルＣにＦＦＣ（フレキシブルフラットケーブル）を使用したが、ＦＦＣに代えてＦＰＣ（フレキシブルプリンテッドサーキット）を使用しても良い。
【００２８】
なお、図３に示されるケーブルＣでは、８つの端子に対応した８本の線状導体３２を設け、その中の４本の差動ペアＬ２を通じて演出信号（映像信号、音声信号）にディスプレイポートに供給するようにした。
しかし、これに限定されずに、図４に示すように、２１本の線状導体３２を設け、その中の１０本の差動ペアＬ２（端子番号２，３，６，７，１０，１１，１４，１５，１７，１８）を通じて演出信号（映像信号、音声信号）にディスプレイポートに供給するようにしても良い。
また、上記端子番号以外の端子は低速ラインＬ１となるものであるが、その低速ラインＬについても、図５で示されるような各種用途の信号が供給可能である。
また、本例では、ＧＮＤ層３０の上面に線状導体３２を配置したが、これに限定されず、ＧＮＤ層３０の両面に線状導体３２を配置して、より多数の演出信号を配信しても良い。
【００２９】
そして、以上のように構成された通信装置１０１では、演出制御部１１からの演出信号を受け入れて表示部１２に出力する分岐部１３を有し、該分岐部１３に、表示部１２及び／又は下流側に位置する他の分岐部１３に分配するスイッチング機能を設けるようにした。
これにより、本実施形態の通信装置１０１では、分岐部１３を、演出信号を受け入れる表示部１２の数に対応して増設することで、表示部１２の数の増加に対応して演出制御部１１の出力コネクタを増やす必要がなくなり、装置改良時に、演出制御部１１を含むメイン基板を取り換えるなどのコストアップを抑制することが可能となる。
すなわち、本実施形態の通信装置１０１では、表示部１２の台数に関わりなく、演出制御部１１に実装されるコネクタの数が１つで済むため、全体のケーブルの本数を減らすこともでき、コスト及びスペース面での改善が見込める。また、表示部１２の構成に変更があったとしても演出制御部１１の設計には変更が無いため、演出制御部１１の共通化が容易になり、開発費用の削減や生産効率化が見込める。
【００３０】
また、本実施形態の通信装置１０１では、1つ又は複数の分岐部１３を経由して、演出制御部１１からの演出信号を各表示部１２に分岐させる構成であるので、各表示部１２から演出制御部１１にそれぞれ直接的に至る長いケーブル配線が不要となり、この点においても構成の簡素化ができ、コストアップを抑制することが可能となる。
また、本実施形態の通信装置１０１では、ケーブル配線の短縮化が可能となるので、ＦＦＣ（フレキシブルフラットケーブル）、ＦＰＣ（フレキシブルプリンテッドサーキット）を使用した場合に発生し易い外来ノイズの影響による画面の乱れや、音声が途切れを最小限に抑えることができるとの効果も奏される。
さらに、本実施形態の通信装置１０１が適用される遊技機内の装置内配線において、ディスプレイポート（DisplayPort）規格などの高周波信号の伝送を安価に行うことができる。また、伝送品質の向上によって、波形整形・延長用のバッファＩＣ等の回路を削減できるとの効果も奏される。
【００３１】
（第２実施形態）
本発明の第２実施形態について、図６を参照して説明する。
図６に示される通信装置１０２が、第１実施形態に係る通信装置１０１と構成を異にするのは、分岐部１３（１３Ｄ〜１３Ｆ）と表示部１２（１２Ｄ〜１２Ｇ）の配置にある。
【００３２】
第１実施形態に係る通信装置１０１では分岐部１３が直列に配置されているが、第２実施形態に係る通信装置１０２では、分岐器１３がトーナメント状に配置される。
具体的には、第１分岐部１３（１３Ｄ）では、演出制御部１からの演出信号を、第２分岐部１３（１３Ｅ）と第３分岐部１３（１３Ｆ）に分岐する。
その後、第２分岐部１３（１３Ｅ）にて、第１分岐部１３（１３Ｄ）を経由した演出制御部１１からの演出信号を、第１表示部１２（１２Ｄ）と第２表示部１２（１２Ｅ）に分岐する。
一方、第３分岐部１３（１３Ｆ）にて、第１分岐部１３（１３Ｄ）を経由した演出制御部１１からの演出信号を、第３表示部１２（１２Ｆ）と第４表示部１２（１２Ｇ）に分岐する。
【００３３】
なお、第２実施形態では、４つの表示部１２（１２Ｄ〜１２Ｇ）がある場合の例を説明したが、５つの表示部１２がある場合には、第２分岐部１３（１３Ｅ）及び／又は第３分岐部１３（１３Ｆ）の出力コネクタ１８にて表示部１２ではなく、さらにトーナメント状に分岐部１３を接続して、表示部１２の接続箇所を増加させるようにする。
【００３４】
そして、以上のように構成された通信装置１０２では、演出制御部１１からの演出信号を受け入れて表示部１２に出力する分岐部１３を有し、該分岐部１３に、表示部１２及び／又は下流側に位置する他の分岐部１３に分配するスイッチング機能を設けるようにした。
これにより、本実施形態の通信装置１０２では、分岐部１３を、演出信号を受け入れる表示部１２の数に対応してトーナメント状に増設することで、表示部１２の数の増加に対応して演出制御部１１の出力コネクタを増やす必要がなくなり、装置改良時に、演出制御部１１を含むメイン基板を取り換えるなどのコストアップを抑制することが可能となる。
また、本実施形態の通信装置１０１では、演出制御部１１に近いケーブル程データ量が多くなるが、トーナメント形式の接続にすることで、２段目でデータ量が半分になり、ディジーチェーン接続よりもケーブルＣを通過するデータ量を分散することができる。これにより、上記通信装置１０１では通信速度を落とすことができ、ノイズの影響を受け難くなったり、長距離の伝送が可能になるといった効果が期待できる。
【００３５】
（変形実施例）
なお、上記実施形態では、演出制御部１１、表示部１２、分岐部１３、音声変換部１６を個別の構成としているが、これらのいずれかまたは全てを一体としても良い。
また、上記実施形態では、演出信号に音声信号を含み、音声をスピーカ１５から出力させるようにしているが、この音声出力は必須ではなく、適宜省略しても良い。
また、上記実施形態に示される表示部１２及び分岐部１３は、ディスプレイポート（DisplayPort）規格からＬＶＤＳ等へ映像信号を変換する機能を備えていても良い。
【００３６】
また、上記実施形態での伝送方式は、マイクロパケット形式であれば、ディスプレイポート（DisplayPort）規格でなくても良い。
また、上記実施形態では、演出信号として映像信号、音声信号を例示したが、映像及び音声以外の信号を同時に伝送しても良い。
【００３７】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３８】
本発明は、パチンコ型スロットマシン等に適用される分岐装置、通信装置、遊技機及び分岐方法に関する。
【符号の説明】
【００３９】
１  演出制御部
２（２Ａ，２Ｂ）  表示部
３（３Ａ，３Ｂ）  分岐部
１１  演出制御部
１２（１２Ａ〜１２Ｇ）  表示部
１３（１３Ａ〜１３Ｆ）  分岐部
３０  ＧＮＤ層
３１  絶縁層
３２  線状導体
３３  被覆膜
１００  分岐装置
１０１  通信装置
１０２  通信装置
Ｃ  ケーブル
【図１】
2018157897.tif 000003
【図２】
2018157897.tif 000004
【図３】
2018157897.tif 000005
【図４】
2018157897.tif 000006
【図５】
2018157897.tif 000007
【図６】
2018157897.tif 000008